(57)【要約】【課題】ディスプレイ装置において発生するモアレ縞を低減させつつも室内空気汚染物質を除去することのできるディスプレイフィルタを提供する。【解決手段】本発明の一実施形態によるディスプレイフィルタは、ディスプレイモジュールが内蔵されたディスプレイ装置に使用され、ディスプレイモジュールの前方に配置される透明基板と、外部に露出する上記ディスプレイフィルタの前面に形成され、フィラーとして光触媒粒子を含有する防眩層とを含む。【選択図】図２
2010146000.tif 000002
【特許請求の範囲】
【請求項１】
ディスプレイモジュールが内蔵されたディスプレイ装置に使用されるディスプレイフィルタであって、
前記ディスプレイモジュールの前方に配置される透明基板と、
外部に露出する前記ディスプレイフィルタの前面に形成され、フィラーとして光触媒粒子を含有する防眩層と、
を積層してなることを特徴とするディスプレイフィルタ。
【請求項２】
前記防眩層が、空気中の有害な化学物質を吸着する吸着剤をさらに含むことを特徴とする請求項１に記載のディスプレイフィルタ。
【請求項３】
前記吸着剤が、活性炭とゼオライトの少なくとも一種を含むことを特徴とする請求項２に記載のディスプレイフィルタ。
【請求項４】
前記防眩層が、有害菌を分解する抗菌物質をさらに含むことを特徴とする請求項１に記載のディスプレイフィルタ。
【請求項５】
前記光触媒粒子が、酸化チタン、チタン酸ストロンチウム、チタン酸バリウム、チタン酸ナトリウム、二酸化ジルコニウム、酸化タングステン、硫化カドミウム、硫化亜鉛のいずれかからなることを特徴とする請求項１に記載のディスプレイフィルタ。
【請求項６】
前記ディスプレイモジュールから放出される電磁波を遮蔽する電磁波遮蔽層と、
前記ディスプレイモジュールに流入する外部環境光を遮断する多数の楔状ブラックストライプを有する外光遮蔽層をさらに含むことを特徴とする請求項１に記載のディスプレイフィルタ。
【請求項７】
前記電磁波遮蔽層が、金属パターンが形成されたメッシュフィルムであることを特徴とする請求項６に記載のディスプレイフィルタ。
【発明の詳細な説明】
【技術分野】
【０００１】
本発明は、モアレ縞の低減及び空気汚染物質の除去が可能なディスプレイフィルタに関する。
【背景技術】
【０００２】
情報化社会が進展するにつれ、光エレクトロニクス（ｐｈｏｔｏｅｌｅｃｔｒｏｎｉｃｓ）関連部品及び機器が顕著に進歩し且つ普及してきている。その中でも、画像を表示するディスプレイ装置は、テレビ用、パーソナルコンピューターのモニター用などとして顕著に普及してきており、大型化と薄型化が同時に進んでいる。
【０００３】
一般に、プラズマディスプレイ（ＰＤＰ）装置は、既存のディスプレイ装置を代表するＣＲＴに比べて大型化や薄型化を同時に満足させることができるという利点を有する。このようなプラズマディスプレイ（ＰＤＰ）装置は、ガス放電現象を用いて画像を表示するものであって、表示容量、輝度、コントラスト、残像、視野角などの各種の表示能力に優れている。
【０００４】
しかし、プラズマディスプレイ（ＰＤＰ）装置は、その駆動特性上、電磁波及び近赤外線の放出量が多く且つ蛍光体の表面反射が高いのみならず、放電ガスから放出されるオレンジ光によって色純度が陰極線管に及ばないという短所がある。
【０００５】
これを改善するために、プラズマディスプレイ（ＰＤＰ）装置では、電磁波及び近赤外線を遮蔽すると同時に反射光を低減させ且つ色純度を向上させるために、電磁波の遮蔽、近赤外線の遮蔽、光表面反射防止及び／または色純度の改善などの機能をもつ各種の光学フィルムなどから構成されたディスプレイフィルタを採用している。
【０００６】
しかしながら、ディスプレイフィルタを構成する各種の光学フィルムのうちには、様々な格子柄やパターンが形成されたフィルムなどが存在し、これらフィルム間の格子柄やパターンによって干渉現象がもたらされることでディスプレイフィルタにモアレ縞が発現するという問題点があった。従来のプラズマディスプレイ（ＰＤＰ）装置用ディスプレイフィルタでは、モアレ縞を低減させるためにヘイズ（Ｈａｚｅ）値を上げるアンチグレア（Ａｎｔｉ−Ｇｌａｒｅ）フィルムが付着される。このアンチグレアフィルムは、ディスプレイフィルタを構成するフィルムのうちのディスプレイモジュールに近いフィルムの背面に付着される。
【０００７】
一方、環境親和に関する認識とウェルビーイング（Ｗｅｌｌ−ｂｅｉｎｇ）及び健康に対する消費者の意識が高まりつつあるなか、室内空気汚染物質の除去に対する消費者の要求が高まってきている。そこで、ディスプレイ機能の他にも消費者の環境、ウェルビーイング及び健康を考慮した様々な付加的機能を併せ持つディスプレイ装置の開発が急がれているのが実情である。
【発明の概要】
【発明が解決しようとする課題】
【０００８】
本発明は、上記のような背景から提案されたものであって、その目的は、ディスプレイ装置において発生するモアレ縞を低減させつつも室内空気汚染物質を除去することのできるディスプレイフィルタを提供することである。
【０００９】
本発明の他の目的は、ディスプレイフィルタの表面の湿気を除去することのできるディスプレイフィルタを提供することである。
【課題を解決するための手段】
【００１０】
上記のような目的を達成するために、本発明の一実施形態によるディスプレイフィルタは、ディスプレイモジュールが内蔵されたディスプレイ装置に使用され、ディスプレイモジュールの前方に配置される透明基板と、外部に露出する上記ディスプレイフィルタの前面に形成され、フィラーとして光触媒粒子を含有する防眩層とを含む。
【００１１】
本発明の他の実施形態によるディスプレイフィルタは、防眩層が空気中の有害な化学物質を吸着する吸着剤をさらに含む。
【発明の効果】
【００１２】
本発明によるディスプレイフィルタは、外部に露出する前面にフィラーとして光触媒粒子を含有する防眩層が形成されることで、ディスプレイモジュールとディスプレイフィルタが内蔵されたディスプレイ装置において発生するモアレ縞を低減させつつも、光触媒反応により室内空気汚染物質を除去することができるという有用な効果を奏する。
【００１３】
また、本発明によるディスプレイフィルタは、光触媒反応の結果から光触媒の表面が超親水性を呈するようになり、ディスプレイフィルタの表面の湿気を自動で解決することができるという有用な効果を奏する。
【図面の簡単な説明】
【００１４】
【図１】本発明の一実施形態によるディスプレイフィルタが適用されたディスプレイ装置の概略的な構造を示す図である。
【図２】本発明によるディスプレイフィルタの他の実施形態を示す図である。
【発明を実施するための形態】
【００１５】
以下、添付した図面を参照して本発明を当業者が容易に理解し再現できるように詳しく説明することにする。
【００１６】
図１は、本発明の一実施形態によるディスプレイフィルタが適用されたディスプレイ装置の概略的な構造を示す図である。
【００１７】
同図に示すように、本実施形態によるディスプレイ装置は、プラズマディスプレイパネル（Ｐｌａｓｍａ  Ｄｉｓｐｌａｙ  Ｐａｎｅｌ：ＰＤＰ）装置である。プラズマディスプレイパネル（ＰＤＰ）装置は、第１の基板１と、第２の基板３、及び第１の基板１と第２の基板３とで挟まれる放電セル２と、を備えてなり、放電セル２にはネオン（Ｎｅ）とキセノン（Ｘｅ）との混合ガスが充填される。また、放電セルの内側面には蛍光物質が塗工されている。プラズマディスプレイパネル（ＰＤＰ）装置は、駆動回路基板５を介して放電セル２に充填された混合ガスに強い電場をかけると、混合ガスから放出された紫外線が蛍光物質とぶつかって固有の可視光線と電磁波（ＥＭＩ）、近赤外線（ＮＩＲ）、色純度を低下させるオレンジ光を放出する。
【００１８】
図１に示すように、プラズマディスプレイパネル（ＰＤＰ）装置に適用された本発明によるディスプレイフィルタ１０は、ディスプレイモジュール９の前方に設置される。図１のディスプレイフィルタ１０は、近赤外線（ＮＩＲ）遮蔽層１５、電磁波（ＥＭＩ）遮蔽層１４、透明基板１３、反射防止層１２、及び防眩層１１を含む。
【００１９】
防眩層１１は、透明な樹脂に光触媒粒子がフィラー（ｆｉｌｌｅｒ）として混合されてなる構造を有する。ここで、透明樹脂としては、ハードコーティング材として使用可能な樹脂であればよい。例えば、アクリル系樹脂、ウレタン系樹脂、エポキシ系樹脂などを使用すればよく、これら樹脂は硬度が高いため高い耐磨耗性を有する。光触媒粒子の含有量によってディスプレイフィルタ全体のヘイズ値が決められる。防眩層１１は、ディスプレイモジュール９とディスプレイフィルタ１０が内蔵されたディスプレイ装置において発生するモアレ縞を低減させる。防眩層１１の表面には光触媒粒子による凹凸が形成される。一例として、光触媒粒子は、酸化チタン、チタン酸ストロンチウム、チタン酸バリウム、チタン酸ナトリウム、二酸化ジルコニウム、酸化タングステン、硫化カドミウム、硫化亜鉛のいずれかからなるものであればよい。
【００２０】
防眩層１１に含まれる光触媒粒子は、光触媒反応により細菌やかびなどを除去することができる。例えば、二酸化チタンの結晶は、十分な光エネルギーを吸収すると電子が伝導帯に転移され、正孔が価電子帯に発生する。このような電子−正孔対は、二酸化チタンの結晶の表面にあらゆる有機物質をＣＯ２とＨ２Ｏで酸化できる水酸化ラジカルとスーパーオキシドラジカルを形成する。
【００２１】
また、防眩層１１は、空気中の有害な化学物質を吸着する吸着剤をさらに含んでいてもよい。本発明において使用される吸着剤は、活性炭またはゼオライトからなるものであればよい。ゼオライトは、極めて明確な構造を有する多孔性結晶体であって、一般に、その骨格構造内にはシリカとアルミナを含み、その孔内には陽イオン、水分子、または他の結晶粒子を含む。
【００２２】
また、防眩層１１は、有害菌を分解する抗菌物質をさらに含んでいてよい。本発明において使用される抗菌物質は、銀（Ａｇ）、銅（Ｃｕ）などのような金属粒子からなるものであればよい。銀（Ａｇ）、銅（Ｃｕ）などのような金属は、抗菌効果の他、光触媒粒子の電荷分離効率を高めることができる。
【００２３】
反射防止層１２は、外光反射を抑制して視認性を向上させる。反射防止層１２は、可視領域において屈折率が１．５以下、好ましくは１．４以下と低いフッ素系透明高分子樹脂またはフッ化マグネシウム、シリコン系樹脂または酸化ケイ素からなる薄膜などを例えば、１／４波長の光学膜厚さで単層形成してなるものを使用すればよい。また、反射防止層１２は、屈折率が異なる金属酸化物、フッ化物、シリサイド、ホウ化物、炭化物、窒化物、硫化物などの無機化合物、またはシリコン系樹脂やアクリル樹脂、フッ素系樹脂などの有機化合物からなる薄膜を２層以上積層してなる多層構造であってもよい。
【００２４】
透明基板１３は、光学フィルムを積層するためのものであって、半強化ガラスまたは透明高分子樹脂からなる基板であればよい。上記高分子樹脂としては、ポリエチレンテレフタレート（ＰＥＴ）、アクリル、ポリカーボネート（ＰＣ）、ウレタンアクリレート、ポリエステル、エポキシアクリレート、臭素化アクリレート、ポリ塩化ビニル（ＰＶＣ）などが挙げられる。
【００２５】
電磁波（ＥＭＩ）遮蔽層１４は、ディスプレイモジュール９から放出される、人体に有害な電磁波（ＥＭＩ）を遮断する。一例として、電磁波（ＥＭＩ）遮蔽層１４は、金属薄膜または高屈折率透明薄膜を積層してなる多層透明導電膜で実現されていてよい。他の例として、電磁波（ＥＭＩ）遮蔽層１４は、金属パターンが形成された導電性メッシュフィルムで実現されていてもよい。多層透明導電膜は、近赤外線を遮断する機能をもつ。したがって、本発明のディスプレイフィルタ１０において、多層透明導電膜を電磁波（ＥＭＩ）遮蔽層１４として使用した場合、近赤外線（ＮＩＲ）遮蔽層なしでも電磁波（ＥＭＩ）のみならず近赤外線（ＮＩＲ）をも遮蔽することができる。
【００２６】
近赤外線（ＮＩＲ）遮蔽層１５は、無線電話機やリモコンなどのような電子機器の誤動作を引き起こす近赤外線（ＮＩＲ）を遮蔽する。近赤外線吸収物質としては、ニッケル錯体系とジアンモニウム系の混合色素、銅イオンと亜鉛イオンを含む化合物色素、シアニン系色素、アントラキノン系色素、スクアリリウム系、アゾメチン系、オキソノール、アゾ系またはベンジリデン系化合物からなる群より選択される一種以上を使用すればよい。
【００２７】
図２は、本発明によるディスプレイフィルタの他の実施形態を示す図である。
【００２８】
同図に示すように、本実施形態によるディスプレイフィルタ２０は、色補正層２１、外光遮蔽層２２、電磁波（ＥＭＩ）遮蔽層２３、透明基板２４、反射防止層２５、及び防眩層２６を含む。
【００２９】
プラズマディスプレイパネル（ＰＤＰ）装置では、プラズマから発生する赤色の可視光線がオレンジ色を呈する傾向がある。色補正層２１は、ディスプレイの色再現範囲を増大させ、画面の鮮明度を向上させる。色補正層２１は、赤色（Ｒ）、緑色（Ｇ）、青色（Ｂ）の量を減少または調節することで色バランスを変化または矯正する。
【００３０】
外光遮蔽層２２は、ディスプレイモジュール（図示せず）に流入する外部環境光を遮断する。外光遮蔽層２２は、その一面に、並列する多数の楔状ブラックストライプ（ｂｌａｃｋ  ｓｔｒｉｐｅ）２２１を含む。ブラックストライプ２２１は、外部環境光を吸収し、ディスプレイモジュール（図示せず）から放出される光を視聴者に向けて全反射する。ブラックストライプ２２１は、光を吸収可能な黒色の無機物、有機物又は金属で形成されていてよい。ブラックストライプ２２１を電気抵抗の低い金属粉末で形成する場合、金属粉末の濃度によって電気抵抗の調節が可能であることから、電磁波遮蔽機能を遂行することができる。
【００３１】
下の表１は、ディスプレイフィルタが一般のアンチグレアフィルムと光触媒粒子を含有した防眩層の両方を有する場合、ディスプレイフィルタが一般のアンチグレアフィルムを有するが光触媒粒子を含有した防眩層を有さない場合、ディスプレイフィルタが一般のアンチグレアフィルムを有さないが光触媒粒子を含有した防眩層を有する場合、ディスプレイフィルタが一般のアンチグレアフィルムと光触媒粒子を含有した防眩層の両方を有さない場合における、モアレ縞が低減される度合いを確認し、各場合におけるプラズマディスプレイパネル（ＰＤＰ）装置のヘイズ値を測定した結果を表す。
【００３２】
一般のアンチグレアフィルムを有し光触媒粒子を含有した防眩層を有さないディスプレイフィルタが適用されたプラズマディスプレイパネル（ＰＤＰ）装置が従来の量産品であり、一般のアンチグレアフィルムを有さず光触媒粒子を含有した防眩層を有するディスプレイフィルタが適用されたプラズマディスプレイパネル（ＰＤＰ）装置が本発明においてモアレ縞の低減度合いを確認するための製品である。
【表１】
2010146000.tif 000003
上記表１を見ると、一般のアンチグレアフィルムを有し光触媒粒子を含有した防眩層を有さないディスプレイフィルタが適用された従来のプラズマディスプレイパネル（ＰＤＰ）装置のヘイズ値は１１．７であり、一般のアンチグレアフィルムを有さず光触媒粒子を含有した防眩層を有するディスプレイフィルタが適用されたプラズマディスプレイパネル（ＰＤＰ）装置のヘイズ値は１０．４である。
【００３３】
すなわち、本発明において提案するところのように、一般のアンチグレアフィルムが付着されず光触媒粒子を含有した防眩層が前面に形成されたディスプレイフィルタを採用したプラズマディスプレイパネル（ＰＤＰ）装置は、既存の製品とほぼ同じモアレ低減性能を示すことが分かる。
【００３４】
本明細書では、本発明によるディスプレイフィルタが適用されたディスプレイ装置としてプラズマディスプレイパネル（ＰＤＰ）装置のみを言及したが、液晶ディスプレイ（ＬＣＤ）装置、有機電界発光表示装置（Ｏｒｇａｎｉｃ  Ｌｉｇｈｔ  Ｅｍｉｔｔｉｎｇ  Ｄｉｓｐｌａｙ：ＯＬＥＤ）装置にも本発明によるディスプレイフィルタを適用することができる。
【００３５】
以上、本明細書では、本発明の属する技術分野における通常の知識を有する者が本発明を容易に理解し再現できるように図面に図示した実施形態を参照して説明したがこれは例示的なものに過ぎず、当該技術分野における通常の知識を有する者ならば、本発明の実施形態から種々の変形及び均等な他の実施形態が可能であることが理解できるであろう。したがって、本発明の真正な技術的保護範囲は、特許請求の範囲によって決められるべきである。
【符号の説明】
【００３６】
１：第１の基板
２：放電セル
３：第２の基板
５：駆動回路基板
９：ディスプレイモジュール
１０：ディスプレイフィルタ
１１：防眩層
１２：反射防止層
１３：透明基板
１４：電磁波遮蔽層
１５：近赤外線遮蔽層
【図１】
2010146000.tif 000004
【図２】
2010146000.tif 000005